(57)【要約】【課題】取り付け作業が容易であり、かつ２枚の二重金網を隙間なく連結することのできる二重金網連結金具を提供する。【解決手段】受け部材１０と押え部材２０からなり、受け部材１０の両側端に溝部１１が設けられており、片側に向かって傾斜した締結面１２が２面設けられており、押え部材の両側端に押え部２１が設けられており、締結面１２に合致するように傾斜した接合面２２が２面設けられている二重金網連結金具Ａである。２枚の二重金網Ｂを横に並べ、接し合う各端部の縦線材４１を溝部１１に嵌着し、縦線材４１を押えるように押え部材１０を取り付けることで、二重金網Ｂを連結する。二重金網Ｂの表面もしくは裏面からビス３０をねじ込むことができるため、取り付け作業が容易である。２枚の二重金網Ｂを接した状態で連結することができるので、二重金網Ｂの間の隙間がない。【選択図】図１
2010138606.tif 000002
【特許請求の範囲】
【請求項１】
受け部材と押え部材からなる二重金網連結金具であって、
前記受け部材の両側端には、二重金網の線材を保持する溝部が設けられており、
前記受け部材には、該受け部材の片側に向かって下がるように傾斜した締結面が設けられており、
前記締結面には、螺子孔が設けられており、
前記押え部材の両側端には、前記溝部に保持された二重金網の線材を押えつける押え部が設けられており、
前記押え部材には、前記締結面に合致するように傾斜した接合面が設けられており、
前記接合面には、前記螺子孔に合致する孔が設けられている
ことを特徴とする二重金網連結金具。
【請求項２】
前記受け部材には、該受け部材の片側に向かって下がるように傾斜した締結面が２面設けられており、
前記押え部材には、前記締結面に合致するように傾斜した接合面が２面設けられている
ことを特徴とする請求項１記載の二重金網連結金具。
【請求項３】
前記受け部材の背面に、両側端にかけて延びる背板が設けられている
ことを特徴とする請求項１または２記載の二重金網連結金具。
【発明の詳細な説明】
【技術分野】
【０００１】
本発明は、二重金網連結金具に関する。さらに詳しくは、取り付け作業が容易であり、かつ２枚の二重金網を隙間なく連結することのできる二重金網連結金具に関する。
【背景技術】
【０００２】
従来、二重金網はフェンス、門扉、衝立、壁掛け、植栽用パネルなど、多岐に渡り使用されている。また、長尺のフェンスを施工するためなどに、複数枚の二重金網を横並びに連結して使用することが多くある。この際、二重金網を連結するために二重金網連結金具が用いられることが多い。
【０００３】
二重金網連結金具の従来技術の一例として特許文献１がある。図５に示すように、この二重金網連結金具は、二重金網１０１の端部の対向縦線材１０２ａを挟持する挟持片１１１、１１２を左右両側縁に備えた２枚１組の挟持プレート１０５を間隔片１０６を挟んで２組配置し、その２組の挟持プレート１０５をこれらのプレート及び間隔片１０６に貫通した共通のボルト１０８、ナット１０９により締結したものである。
【０００４】
しかるに、ボルト１０８は二重金網１０１に対して平行に挿入する必要があるが、二重金網１０１が邪魔となり、ボルト１０８の挿入および締め付けが困難であるため、取り付け作業に手間がかかるという問題がある。
【０００５】
これに対し特許文献２には二重金網の側部を覆うための金具が開示されている。この金具は、図６に示すように、二重金網２０１の側部に位置する縦横線材２２１、２２２が嵌合される一対の溝部２３２を備えた桟材２０３を二重金網２０１の両側に嵌着し、溝部２３２内に位置する縦線材２２１を溝部２３２内に向けて押圧する押え金具２０５を桟材２０３の内側面に固着したものである。ここで、金具２０５の桟材２０３への固着は２本のビス２０６をねじ込むことにより行われるが、この２本のビス２０６は平面視ハの字となるように挿入される。そのため二重金網２０１の表面と裏面からねじ込むことができるので、特許文献１に比べて取り付け作業が容易である。
そこで、特許文献２の金具を二重金網連結金具として応用することが考えられる。すなわち、２枚の二重金網２０１を接して横に並べ、接し合う各々の端部の縦線材２２１をまとめて溝部２３２内に嵌着し、その縦線材２２１を押えるように押え金具２０５を取り付けるのである。これにより２枚の二重金網２０１の縦線材２２１をまとめて挟持することができるので、二重金網２０１を連結することができる。
【０００６】
しかるに、この場合、ビス２０６は表面と裏面からねじ込むことができるが、これでは取り付け作業に手間がかかるという問題は解消しない。特許文献２のように、二重金網２０１の側部に固着する場合には取り付け作業が容易となるが、二重金網を連結する場合には表面と裏面のアクセスが容易ではなくなるためである。
【０００７】
【特許文献１】実公昭６３−３９３３４号
【特許文献２】特開２００１−２３４６０７号
【発明の開示】
【発明が解決しようとする課題】
【０００８】
本発明は上記事情に鑑み、取り付け作業が容易であり、かつ２枚の二重金網を隙間なく連結することのできる二重金網連結金具を提供することを目的とする。
【課題を解決するための手段】
【０００９】
第１発明の二重金網連結金具は、受け部材と押え部材からなる二重金網連結金具であって、前記受け部材の両側端には、二重金網の線材を保持する溝部が設けられており、前記受け部材には、該受け部材の片側に向かって下がるように傾斜した締結面が設けられており、前記締結面には、螺子孔が設けられており、前記押え部材の両側端には、前記溝部に保持された二重金網の線材を押えつける押え部が設けられており、前記押え部材には、前記締結面に合致するように傾斜した接合面が設けられており、前記接合面には、前記螺子孔に合致する孔が設けられていることを特徴とする。
第２発明の二重金網連結金具は、第１発明において、前記受け部材には、該受け部材の片側に向かって下がるように傾斜した締結面が２面設けられており、前記押え部材には、前記締結面に合致するように傾斜した接合面が２面設けられていることを特徴とする。
第３発明の二重金網連結金具は、第１または第２発明において、前記受け部材の背面に、両側端にかけて延びる背板が設けられていることを特徴とする。
【発明の効果】
【００１０】
第１発明によれば、２枚の二重金網を接して横に並べ、接し合う各々の端部の縦線材をまとめて受け部材の溝部に嵌着し、その縦線材を押えるように押え部材を取り付けることで、２枚の二重金網の縦線材をまとめて挟持することができるので、二重金網を連結することができる。押え部材の取り付けには、ビスを押え部材の接合面に設けられた孔を通し、受け部材の締結面に設けられた螺子孔にねじ込むことにより行われる。接合面および締結面は片側に向かって下がるように傾斜して設けられており、二重金網の表面もしくは裏面のどちらか一方からビスをねじ込むことができるため、二重金網連結金具の取り付け作業が容易である。また、２枚の二重金網を接した状態で連結することができるので、二重金網の間の隙間がなく、フェンスが長く続いているような連続感を演出できる。
第２発明によれば、受け部材と押え部材との接合において、２組の接合面および締結面でビス留めができるので、より強固に接合できる。
第３発明によれば、背板によりねじ込んだビスの先端が覆われるので、美観がよい。また、二重金網に植栽を施すなどの作業時にビスの先端により怪我をする恐れもない。
【発明を実施するための最良の形態】
【００１１】
つぎに、本発明の実施形態を図面に基づき説明する。
図１は本発明の一実施形態に係る二重金網連結金具Ａの平面図である。図２は同二重金網連結金具Ａの側面図である。なお、図中Ｂは二重金網であるが、二重金網Ｂは、縦線材４１と横線材４２を格子状に配置し、その各交差部分において溶接して金網とし、その金網２枚を一定間隔を隔てて連結線材４３により溶接したものである。
【００１２】
図１に示すように、二重金網連結金具Ａは受け部材１０と押え部材２０からなる。受け部材１０の幅寸法は、二重金網Ｂの厚みとほぼ同じであるが、多少大きくてもよい。受け部材１０の両端には、平面視Ｕ字型であり、その深さが縦線材４１の２本分である溝部１１が設けられている。なお、この両端の溝部１１は同一方向に開口している。また、受け部材１０には平面視Ｖ字型の溝が前記溝部１１より内側に２ヶ所形成されており、そのうちの同方向に傾斜した２面が締結面１２となっている。締結面１２の中央には後述するビス３０と嵌合する螺子孔１３が設けられている。
【００１３】
さらに、受け部材１０の背面には、受け部材１０の両側端にかけて延び、前記Ｖ字型の溝の頂点と結合するように背板１４が設けられている。
このように背板１４を設けることにより、ハニカム構造のようになり、受け部材１０の強度が高くなる。
【００１４】
一方、押え部材２０は、その幅寸法が二重金網Ｂの厚みとほぼ同じであり、その両端には、平面視Ｌ字型の押え部２１が設けられている。また、押え部材２０も受け部材１０に合致するように平面視Ｖ字型の溝が２ヶ所に形成されており、受け部材１０の締結面１２と接合する面が接合面２２となっている。接合面２２には前記締結面１２の螺子孔１３と合致する位置に孔２３が設けられている。
【００１５】
また、受け部材１０と押え部材２０は前記２ヶ所のＶ字型の溝の間が平面となっており、その受け部材１０の平面の中央には凹部１５が、押え部材２０の平面の中央には凸部２４が形成されており、受け部材１０に押え部材２０を取り付けたときに、凹部１５と凸部２４が嵌合するように形成されている。この凹部１５および凸部２４により、受け部材１０に押え部材２０を取り付ける際の位置決めが容易となる。
なお、図２に示すように、二重金網連結金具Ａは側面視長方形である。
【００１６】
なお、二重金網連結金具Ａの素材、製法は特に限定はないが、例えば、アルミの押出成形で形成される。
【００１７】
つぎに、本発明の二重金網連結金具Ａを用いた二重金網Ｂの連結方法について説明する。
連結する二重金網Ｂは、その表面と裏面において縦線材４１が同位置に設けられており、かつ横線材４２が端部の縦線材４１よりも横に飛び出していないことが必要である。
図１に示すように、この二重金網Ｂを２枚、その側部を接して横に並べると、表面および裏面のそれぞれの端部の縦線材４１が互いに接し合う。この接し合う端部の縦線材４１をまとめて受け部材１０の溝部１１に嵌め込むと、各溝部１１の外側の内壁面に、２本の縦線材４１が並んで嵌ることになる。つぎに押え部材２０を取り付けると、押え部材２０の押え部２１が溝部１１に嵌め込まれた縦線材４１を押えることになる。押え部材２０の取り付けの際には、凹部１５と凸部２４を嵌合させることにより位置合せを行うことができる。つぎに、ビス３０を孔２３を通し、螺子孔１３にねじ込むことにより、二重金網Ｂの連結が完了する。
【００１８】
上記のとおり二重金網連結金具Ａを取り付けることで、２枚の二重金網Ｂの各端部の縦線材４１をまとめて、受け部材１０の溝部１１と押え部材２０の押え部２１とで挟持することができるので、二重金網Ｂを連結することができる。ビス３０のねじ込みにおいては、２組の接合面２２および締結面１２が片側に向かって下がるように傾斜して設けられているため、二重金網Ｂの表面もしくは裏面のどちらか一方からビス３０を挿入し、ドライバーを差し込んでねじ込むことができる。そのため二重金網連結金具Ａの取り付け作業が容易である。
また、図２に示すように、２枚の二重金網Ｂを接した状態で連結することができるので、二重金網Ｂの間の隙間がなく、フェンスが長く続いているような連続感を演出できる。さらに、図１に示すように、ねじ込んだビス３０の先端は受け部材１０の背板１４によって覆われているので、美観がよく、二重金網Ｂに植栽を施すなどの作業時にビス３０の先端により怪我をする恐れもない。
【００１９】
なお、上記の実施形態では、受け部材１０および押え部材２０に設けられたＶ字型の溝の一方の面を締結面１２および接合面２２としたが、両方の面を締結面１２および接合面２２とし、それぞれに螺子孔１３、孔２３を設けても良い。このように左右対称に形成することで、二重金網連結金具Ａを取り付ける際に方向を気にする必要がなくなる。なおこの場合でも、二重金網連結金具Ａの取り付け方法は変わらない。
【００２０】
つぎに、本発明の二重金網連結金具Ａを用いて長尺のフェンスを施工する方法を説明する。
図３はフェンスの平面図である。図４はフェンスの正面図である。
先ず、地面に固定した柱Ｃに金網支持金具Ｄを固定し、固定した金網支持金具Ｄに二重金網Ｂを仮置きする。次に隣接する柱Ｃに仮置きされ、横並びとなった二重金網Ｂとの連結部分を二重金網連結金具Ａを用いて上述の方法で連結する。この際二重金網連結金具Ａは連結部分の上下付近の２ヶ所に取付けることが好ましい。さらに二重金網Ｂの高さによって二重金網連結金具Ａの数を増やすことにより確実に二重金網Ｂを連結することができる。最後に、二重金網Ｂを金網支持金具Ｄに固定し、長尺のフェンスを施工することができる。
【図面の簡単な説明】
【００２１】
【図１】本発明の一実施形態に係る二重金網連結金具Ａの平面図である。
【図２】同二重金網連結金具Ａの側面図である。
【図３】フェンスの平面図である。
【図４】フェンスの正面図である。
【図５】従来技術の二重金網連結金具の平面図である。
【図６】従来技術の二重金網用金具の平面図である。
【符号の説明】
【００２２】
Ａ        二重金網連結金具
Ｂ        二重金網
Ｃ        柱
Ｄ        金網支持金具
１０      受け部材
１１      溝部
１２      締結面
１３      螺子孔
１４      背板
１５      凹部
２０      押え部材
２１      押え部
２２      接合面
２３      孔
２４      凸部
３０      ビス
４１      縦線材
４２      横線材
４３      連結線材
【図１】
2010138606.tif 000003
【図２】
2010138606.tif 000004
【図３】
2010138606.tif 000005
【図４】
2010138606.tif 000006
【図５】
2010138606.tif 000007
【図６】
2010138606.tif 000008